(57)【要約】【課題】デジタルカメラとボイスレコーダとを接続した際に、ユーザが使い易いように相互連携させること。【解決手段】動画像データを記録するカメラ１００と、音声データを記録するボイスレコーダ２００とを含む情報記録システムにおいて、カメラ１００において動画像データの記録動作の開始が指示された場合、若しくはボイスレコーダ２００において音声データの記録動作の開始が指示された場合に、動画像データの記録動作と音声データの記録動作の両方を開始させる。【選択図】図１
2011171939.tif 000002
【特許請求の範囲】
【請求項１】
動画像データを記録するカメラと、音声データを記録するボイスレコーダとを含む情報記録システムにおいて、
上記カメラにおいて上記動画像データの記録動作の開始が指示された場合若しくは上記ボイスレコーダにおいて上記音声データの記録動作の開始が指示された場合に、上記動画像データの記録動作と上記音声データの記録動作の両方を開始させるようにしたことを特徴とする情報記録システム。
【請求項２】
上記動画像データの記録動作と上記音声データの記録動作の実行中、上記カメラにおいて上記動画像データの記録動作の停止が指示された場合若しくは上記ボイスレコーダにおいて上記音声データの記録動作の停止が指示された場合に、上記動画像データの記録動作と上記音声データの記録動作の両方を停止させ、その後、上記カメラにおいて取得した上記動画像データと上記ボイスレコーダにおいて取得した上記音声データとをそれぞれ記録させるようにしたことを特徴とする請求項１に記載の情報記録システム。
【請求項３】
上記カメラにおいて記録済みの上記動画像データの再生が指示された場合若しくは上記ボイスレコーダにおいて記録済みの上記音声データの再生が指示された場合に、上記動画像データの再生と上記音声データの再生の両方を開始させるようにしたことを特徴とする請求項１又は２に記載の情報記録システム。
【発明の詳細な説明】
【技術分野】
【０００１】
本発明は、画像と音声の記録を連携して行うための情報記録システムに関する。
【背景技術】
【０００２】
画像を記録するためのデジタルカメラ（以下、カメラ）と音声を記録するためのボイスレコーダとを連携して動作させるための技術として、例えば特許文献１において提案されている技術がある。この特許文献１の技術においては、カメラが主体となっており、カメラの撮影動作に連動してボイスレコーダに録音の開始と停止とがそれぞれ指示される。
【先行技術文献】
【特許文献】
【０００３】
【特許文献１】特許第３５８１１４４号公報
【発明の概要】
【発明が解決しようとする課題】
【０００４】
特許文献１等の、２つの機器の一方がマスターとなり一方がスレーブとなるシステムは操作が分かり易いという利点がある。この反面、状況によっては操作の融通がきかず、ユーザに使いづらさを感じさせる可能性もある。このため、状況に応じてマスターとスレーブとを入れ替え可能とすることが望ましい。
【０００５】
本発明は、上記の事情に鑑みてなされたもので、デジタルカメラとボイスレコーダとを接続した際に、ユーザが使い易いように相互連携させることが可能な情報記録システムを提供することを目的とする。
【課題を解決するための手段】
【０００６】
上記の目的を達成するために、本発明の一態様の情報記録システムは、動画像データを記録するカメラと、音声データを記録するボイスレコーダとを含む情報記録システムにおいて、上記カメラにおいて上記動画像データの記録動作の開始が指示された場合若しくは上記ボイスレコーダにおいて上記音声データの記録動作の開始が指示された場合に、上記動画像データの記録動作と上記音声データの記録動作の両方を開始させるようにしたことを特徴とする。
【発明の効果】
【０００７】
本発明によれば、デジタルカメラとボイスレコーダとを接続した際に、ユーザが使い易いように相互連携させることが可能な情報記録システムを提供することができる。
【図面の簡単な説明】
【０００８】
【図１】本発明の一実施形態に係る情報記録システムの構成を示すブロック図。
【図２】カメラによる連携動画撮影動作について示すフローチャート。
【図３】ボイスレコーダによる連携録音動作について示すフローチャート。
【図４】カメラによる連携動画再生動作について示すフローチャート。
【図５】ボイスレコーダによる連携音声再生動作について示すフローチャート。
【発明を実施するための形態】
【０００９】
以下、図面を参照して本発明の実施形態を説明する。  
図１は、本発明の一実施形態に係る情報記録システムの構成を示すブロック図である。図１に示す情報記録システムは、撮像装置（カメラ）１００と、音声記録装置（ボイスレコーダ）２００とを有している。
【００１０】
図１に示すカメラ１００は、レンズ鏡筒１１０と、本体１２０とを有している。レンズ鏡筒１１０は本体１２０に対して着脱自在になされている。ここで、図１ではカメラ１００がレンズ交換式カメラの場合を示している。しかしながら、カメラ１００は必ずしもレンズ交換式でなくとも良い。
【００１１】
レンズ鏡筒１１０は、撮影レンズ１１１と、駆動機構１１２と、レンズ制御部１１３とを有している。撮影レンズ１１１は、図示しない被写体からの光束（画像情報）を本体１２０内部の撮像部１２１に入射させる。駆動機構１１２は、モータ等の駆動機構を有し、レンズ制御部１１３からの駆動信号に従って撮影レンズ１１１をその光軸方向に駆動する。レンズ制御部１１３は、本体１２０と通信可能になされている。このレンズ制御部１１３は、本体１２０からのレンズ制御信号に応じて例えばフォーカシング制御やズーミング制御といった撮影レンズ１１１のレンズ制御を行うための駆動信号を駆動機構１１２に出力する。
【００１２】
本体１２０は、撮像部１２１と、再生部１２２と、画像記録部１２３と、集音部１２４と、制御部１２５と、操作部１２６と、無線通信部１２７とを有している。撮像部１２１は、撮影レンズ１１１を介して入射した光束（画像情報）を光電変換することにより画像データを取得する。再生部１２２は、液晶ディスプレイ等の表示部とスピーカ等の音声再生部とを有し、撮像部１２１において得られた画像データに基づく画像等の各種の画像を表示したり、集音部１２４で取得された音声やボイスレコーダ２００から送信された音声を再生する。画像記録部１２３は、例えばフラッシュメモリである。この画像記録部１２３には、撮像部１２１において得られ、制御部１２５において処理されて得られた画像ファイル等の各種のデータが記録される。集音部１２４は、マイクロホン等を有して構成され、外部から入力された音声を電気信号に変換することにより音声データを取得する。制御部１２５は、本体１２０の各ブロックの動作制御を行う。また、制御部１２５は、撮像部１２１において得られた画像データに対して圧縮処理等の各種の画像処理を施すことも行う。操作部１２６は、ユーザが本体１２０に対して各種の操作指示を与えるための各種の操作部材である。この操作部１２６は、カメラ１００の動作モードを設定するためのモード設定ダイアル、動画像データの記録の開始及び停止を指示するための動画釦、動画像データの再生の開始を指示するための動画再生釦、動画像の再生の停止を指示するための動画停止釦等が含まれる。この例では、動画像データの記録の開始と停止を１つの釦操作で実行できるようにし、動画像データの再生の開始と停止のそれぞれを別の釦操作で実行できるようにしているが、例えば動画像データの記録の開始と停止、動画像データの再生の開始と停止を全て別の釦操作で実行できるようにしても良い。このような操作部１２６の操作を受けた場合やボイスレコーダ２００からの指示信号を受けた場合に、制御部１２５は、それらの指示に応じた各種の処理を実行する。無線通信部１２７は、制御部１２５がボイスレコーダ２００と無線通信するための無線インターフェースである。
【００１３】
ボイスレコーダ２００は、集音部２０１と、音声記録部２０２と、再生部２０３と、制御部２０４と、操作部２０５と、無線通信部２０６とを有している。集音部２０１は、マイクロホン等を有して構成され、外部から入力された音声を電気信号に変換することにより音声データを取得する。音声記録部２０２は、例えばフラッシュメモリである。この音声記録部２０２には、集音部２０１において得られ、制御部２０４において処理されて得られた音声ファイル等の各種のデータが記録される。再生部２０３は、スピーカ等を有して構成され、音声記録部２０２に記録された音声ファイル等を音声に変換して再生する。制御部２０４は、ボイスレコーダ２００の各ブロックの動作制御を行う。また、制御部２０４は、集音部２０１において得られた音声データに対して圧縮処理等の処理を施すことも行う。操作部２０５は、ユーザがボイスレコーダ２００に対して各種の操作指示を与えるための各種の操作部材である。この操作部２０５は、ボイスレコーダ２００の動作モードを設定するためのモード設定スイッチ、音声データの記録の開始を指示するための録音釦、音声データの再生の開始を指示するための音声再生釦、音声データの記録の停止及び音声データの再生の停止を指示するための停止釦等が含まれる。この例では、音声データの記録の開始と音声データの再生の開始とを別の釦操作で行い、音声データの記録の停止と再生の停止を１つの釦操作で行えるようにしている。このような釦の設定も一例であって適宜変更可能である。このような操作部２０５を介した操作指示を受けた場合やカメラ１００からの指示信号を受けた場合に、制御部２０４は、それらの指示に応じた各種の処理を実行する。無線通信部２０６は、制御部２０４が本体１２０と無線通信するための無線インターフェースである。
【００１４】
以下、本実施形態における情報記録システムの動作について説明する。まず、カメラ１００による動画像データの記録動作（以下、動画撮影）とボイスレコーダ２００による音声データの記録動作（以下、録音）との相互連携について説明する。
先に、図２を参照してカメラ１００による動画撮影動作（連携動画撮影動作）について説明する。図２の動作は、例えばユーザによる操作部１２６のモード設定ダイアルの操作によりカメラ１００の動作モードが動画撮影モードとなった場合に行われる。動画撮影モードにおいて、制御部１２５は、動画像データ記録開始の指示として、操作部１２６の動画釦が押されたか否かを判定する（Ｓ１０１）。動画釦が押されていない場合、制御部１２５は、無線通信部１２７を介して、ボイスレコーダ２００からの動画記録開始指示信号の受信割込がなされたか否かを判定する（Ｓ１０２）。受信割込がなされていない場合、制御部１２５は、ユーザによる操作部１２６のモード設定ダイアルの操作によりカメラ１００の動作モードが変更されたか否かを判定する（Ｓ１０３）。動作モードが変更されていない場合には処理がＳ１０１に戻る。また、動作モードが変更された場合には図２の処理が終了され、制御部１２５はカメラ１００のメインルーチンの処理を実行する。このメインルーチンの処理は従来の技術を適用可能であるので説明を省略する。
【００１５】
また、Ｓ１０１において動画釦が押された場合、制御部１２５は、無線通信部１２７を介して、ボイスレコーダ２００に録音開始指示信号を送信する（Ｓ１０４）。Ｓ１０２において受信割込がなされた場合又はＳ１０４の後、制御部１２５は、撮像部１２１を連続動作させることで動画像データを取得する動画撮影を実行する（Ｓ１０５）。動画撮影中において、制御部１２５は、動画像データ記録停止の指示として、ユーザにより動画釦が再び押されたか否かを判定する（Ｓ１０６）。動画釦が押されていない場合、制御部１２５は、無線通信部１２７を介して、ボイスレコーダ２００からの動画記録停止指示信号の受信割込がなされたか否かを判定する（Ｓ１０７）。受信割込がなされていない場合には処理がＳ１０６に戻る。
【００１６】
また、Ｓ１０６において、動画釦が押された場合、制御部１２５は、無線通信部１２７を介して、ボイスレコーダ２００に録音停止指示信号を送信する（Ｓ１０８）。Ｓ１０７において受信割込がなされた場合又はＳ１０８の後、制御部１２５は、動画撮影を停止させる（Ｓ１０９）。その後、制御部１２５は、無線通信部１２７を介してのボイスレコーダ２００からの音声ファイルの受信を待つ（Ｓ１１０）。音声ファイルの受信後、制御部１２５は、動画撮影の結果として取得された動画像データを圧縮する。そして、制御部１２５は、この圧縮された動画像データとボイスレコーダ２００から受信された音声データとが関連している旨を示す関連付け情報を有するヘッダ部を作成する。その後、ヘッダ部と圧縮動画像データとをマージして動画像ファイルを作成し、作成した動画像ファイルと受信された音声ファイルとを画像記録部１２３に記録する（Ｓ１１１）。その後に処理がＳ１０１に戻る。
【００１７】
Ｓ１１１においてカメラ１００で取得された動画像データとボイスレコーダ２００からの音声データとの関連付けを行っておくことにより、カメラ１００での動画像データの再生に同期してボイスレコーダ２００から受信した音声データの再生を行うことができる。一般に、カメラ１００の集音部１２４で記録される音声データはカメラ１００の駆動機構１１２の動作音等が混入する場合がある。これに対し、カメラ１００とボイスレコーダ２００とを離しておけば、ボイスレコーダ２００において記録される音声データにカメラ１００の動作音等が混入する可能性は低い。このため、カメラ１００で取得された動画像データとボイスレコーダ２００からの音声データとの関連付けを行っておくことにより、カメラ１００のみで動画像データの記録と音声データの記録とを行った場合よりも高音質な音声データを再生することが可能である。
【００１８】
次に、図３を参照してボイスレコーダ２００による録音動作（連携録音動作）について説明する。図３の動作は例えばユーザによる操作部２０５のモード設定スイッチの操作によりボイスレコーダ２００の動作モードが録音モードとなった場合に行われる。動画撮影モードにおいて、制御部２０４は、音声データ記録開始の指示として、操作部２０５の録音釦が押されたか否かを判定する（Ｓ２０１）。録音釦が押されていない場合、制御部２０４は、無線通信部２０６を介して、カメラ１００からの録音開始指示信号の受信割込がなされたか否かを判定する（Ｓ２０２）。受信割込がなされていない場合、制御部２０４は、ユーザによる操作部２０５のモード設定スイッチの操作によりボイスレコーダ２００の動作モードが変更されたか否かを判定する（Ｓ２０３）。動作モードが変更されていない場合には処理がＳ２０１に戻る。また、動作モードが変更された場合には図３の処理が終了され、制御部２０４はボイスレコーダ２００のメインルーチンの処理を実行する。このメインルーチンの処理は従来の技術を適用可能であるので説明を省略する。
【００１９】
また、Ｓ２０１において録音釦が押された場合、制御部２０４は、無線通信部２０６を介して、カメラ１００に動画記録開始指示信号を送信する（Ｓ２０４）。Ｓ２０２において受信割込がなされた場合又はＳ２０４の後、制御部２０４は、集音部２０１を動作させることで音声データを取得する録音を実行する（Ｓ２０５）。録音中において、制御部２０４は、音声データ記録停止の指示として、ユーザにより停止釦が押されたか否かを判定する（Ｓ２０６）。停止釦が押されていない場合、制御部２０４は、無線通信部２０６を介して、カメラ１００からの録音停止指示信号の受信割込がなされたか否かを判定する（Ｓ２０７）。受信割込がなされていない場合には処理がＳ２０６に戻る。
【００２０】
また、Ｓ２０６において、停止釦が押された場合、制御部２０４は、無線通信部２０６を介して、カメラ１００に動画記録停止指示信号を送信する（Ｓ２０８）。Ｓ２０７において受信割込がなされた場合又はＳ２０８の後、制御部２０４は、録音を停止させる（Ｓ２０９）。その後、制御部２０４は、録音の結果として取得された音声データを圧縮し、この圧縮した音声データと所定のヘッダ部とをマージして音声ファイルを作成する。そして、制御部２０４は、作成した音声ファイルを音声記録部２０２に記録する（Ｓ２１０）。さらに、制御部２０４は、作成した音声ファイルを、無線通信部２０６を介してカメラ１００に送信する（Ｓ２１１）。その後に処理がＳ２０１に戻る。
【００２１】
以上説明したように、本実施形態においては、カメラ１００において動画像データの記録開始の指示操作がなされた場合にカメラ１００からボイスレコーダ２００に録音開始指示が送信されるようにし、ボイスレコーダ２００において音声データの記録開始の指示操作がなされた場合にボイスレコーダ２００からカメラ１００に動画記録開始指示が送信されるようにしている。また、カメラ１００において動画像データの記録停止の指示操作がなされた場合にカメラ１００からボイスレコーダ２００に録音停止指示が送信されるようにし、ボイスレコーダ２００において音声データの記録開始の指示操作がなされた場合にボイスレコーダ２００からカメラ１００に動画記録開始指示が送信されるようにしている。これにより、カメラ１００とボイスレコーダ２００の何れか一方の操作により動画像データの記録と音声データの記録の両方を連携して実行させることが可能である。したがって、ユーザは状況に応じてカメラ１００とボイスレコーダ２００の何れか一方を操作すれば良いため、ユーザにとっての使い勝手が向上する。
【００２２】
ここで、図２の例において、カメラ１００における動画像データの記録開始の指示操作を動画釦の押操作としているが、これに限られるものではないことは言うまでもない。また、カメラ１００における動画像データの記録停止の指示操作、ボイスレコーダ２００における音声データの記録開始の指示操作、ボイスレコーダ２００における音声データの記録停止の指示操作についても上述した例に限られるものではない。
【００２３】
また、図２、図３の例は、カメラ１００による動画像データの記録とボイスレコーダ２００による音声データの記録とを連携させる例である。カメラ１００の動作とボイスレコーダ２００の動作の他の連携の例として、動画像データの再生と音声データの再生とが考えられる。図４、図５にカメラ１００による動画像データの再生（以下、動画再生）とボイスレコーダ２００による音声データの再生（以下、音声再生）とを相互連携させる場合の処理の流れを示す。
【００２４】
図４は、カメラ１００による動画再生（連携動画再生）の処理を示している。この場合も図２の場合と同様に、カメラ１００の操作部１２６の動画再生釦が押された場合（Ｓ３０１：Ｙ）に、カメラ１００からボイスレコーダ２００に音声再生開始指示信号が送信される（Ｓ３０４）。その後、動画像データの再生が行われる（Ｓ３０５）。なお、連携動画再生を行う場合にはカメラ１００において音声データの再生を行わないことが望ましい。動画再生釦が押されていなくとも（Ｓ３０１：Ｎ）、ボイスレコーダ２００から動画再生開始指示信号の受信割込があった場合には（Ｓ３０２：Ｙ）、動画像データの再生が行われる。また、動画像データの再生中に、カメラ１００の操作部１２６の動画停止釦が押された場合（Ｓ３０６：Ｙ）に、カメラ１００からボイスレコーダ２００に音声再生停止指示信号が送信される（Ｓ３０８）。その後、動画像データの再生が停止される（Ｓ３０９）。動画停止釦が押されていなくとも（Ｓ３０６：Ｎ）、ボイスレコーダ２００から動画再生停止指示信号の受信割込があった場合には（Ｓ３０７：Ｙ）、動画像データの再生が停止される。
【００２５】
図５は、ボイスレコーダ２００による音声再生（連携音声再生）の処理を示している。この場合も図３の場合と同様に、ボイスレコーダ２００の操作部２０５の音声再生釦が押された場合（Ｓ４０１：Ｙ）に、ボイスレコーダ２００からカメラ１００に動画再生開始指示信号が送信される（Ｓ４０４）。その後、音声データの再生が行われる（Ｓ４０５）。音声再生釦が押されていなくとも（Ｓ４０１：Ｎ）、カメラ１００から音声再生開始指示信号の受信割込があった場合には（Ｓ４０２：Ｙ）、音声データの再生が行われる。また、音声データの再生中に、ボイスレコーダ２００の操作部２０５の停止釦が押された場合（Ｓ４０６：Ｙ）に、ボイスレコーダ２００からカメラ１００に動画再生停止指示信号が送信される（Ｓ４０８）。その後、音声データの再生が停止される（Ｓ４０９）。停止釦が押されていなくとも（Ｓ４０６：Ｎ）、カメラ１００から音声再生停止指示信号の受信割込があった場合には（Ｓ４０７：Ｙ）、音声データの再生が停止される。
【００２６】
このような図４、５の処理を行うことにより、カメラ１００とボイスレコーダ２００の何れか一方の操作により動画像データの再生と音声データの再生の両方を連携して実行させることが可能である。
本実施形態の技術は、上述した動画撮影と録音、動画再生と音声再生の他、カメラ１００の動作とボイスレコーダ２００の動作との各種の相互連携に対して適用可能である。
【００２７】
以上実施形態に基づいて本発明を説明したが、本発明は上述した実施形態に限定されるものではなく、本発明の要旨の範囲内で種々の変形や応用が可能なことは勿論である。  
ここで、本発明の要旨をまとめると特許請求の範囲に記載したものに加えて以下のようなものを含む。  
（１）  上記動画像データの記録動作と上記音声データの記録動作の停止後、上記音声データの記録動作によって取得された音声データと上記動画像データの記録動作によって取得された動画像データとを関連付けて記録することを特徴とする請求項２に記載の情報記録システム。
【符号の説明】
【００２８】
１００…撮像装置（カメラ）、１１０…レンズ鏡筒、１１１…撮影レンズ、１１２…駆動機構、１１３…レンズ制御部、１２０…本体、１２１…撮像部、１２２…再生部、１２３…画像記録部、１２４…集音部、１２５…制御部、１２６…操作部、１２７…無線通信部、２００…ボイスレコーダ、２０１…集音部、２０２…音声記録部、２０３…再生部、２０４…制御部、２０５…操作部、２０６…無線通信部
【図１】
2011171939.tif 000003
【図２】
2011171939.tif 000004
【図３】
2011171939.tif 000005
【図４】
2011171939.tif 000006
【図５】
2011171939.tif 000007